(57)【要約】【課題】  本発明は、避難誘導灯が、常時は多くの人に意識されず、その所在が見過ごされがちになっている現状に鑑みて、この避難誘導灯、中でも天井付近に配設される避難方向を示す誘導灯に、その誘導機能を損なうことなく時刻表示機能を付加することによって、常に人々に避難口の位置を認識させられるようにしようとするものである。【解決手段】  非常口の所在を示すためにビルや地下街等消防法に定められた防火対象物に設置される避難誘導灯であって、その誘導標識表示面の外周縁部に配設された複数の発光体と、該発光体の発光を制御する時計装置を備え、前記複数の発光体の配列を時計盤に見立て、その一つ又は複数個を時計装置により順次点灯して時刻表示を可能としてなることを特徴とする避難誘導灯。【選択図】  図１
2009300359.tif 000002
【特許請求の範囲】
【請求項１】
非常口の所在を示すためにビルや地下街等消防法に定められた防火対象物に設置される誘導灯であって、その誘導標識表示面の外周縁部に配設された複数の発光体と、該発光体の発光を制御する時計装置を備え、前記複数の発光体の配列を時計盤に見立て、その一つ又は複数個を時計装置により順次点灯して時刻表示を可能としてなることを特徴とする避難誘導灯。
【請求項２】
前記発光体が、少なくとも時計盤の正時を示す位置に配設されてなることを特徴とする請求項１に記載の避難誘導灯。
【請求項３】
前記発光体が、時計盤の正時を示す位置に配設された時間表示用発光体と、分を示す位置とに配設された分表示用発光体とでなり、かつ前記時間表示用発光体と分表示用発光体とが異なる色の光を発するものであることを特徴とする請求項１に記載の避難誘導灯。
【請求項４】
前記時間表示用発光体と分表示用発光体が、それぞれ１時間、又は１分経過するごとに点灯数を一つずつ増加させていき、時間表示用発光体にあっては１２時間後、分表示用発光体にあっては６０分後、点灯したすべての発光体を一斉に消灯するよう制御されてなることを特徴とする請求項３に記載の避難誘導灯。
【請求項５】
前記発光体が、その点灯によって避難誘導灯の表示を損なわず、かつ時刻表示が認識できる大きさ、色彩、輝度で発光するよう制御されてなることを特徴とする請求項１〜４のいずれか１項に記載の避難誘導灯。
【請求項６】
前記時計装置が、時報音発生機能を備え、毎正時に時報音を奏鳴してなることを特徴とする請求項１〜５のいずれか１項に記載の避難誘導灯。
【発明の詳細な説明】
【技術分野】
【０００１】
非常口の所在を示すためにビルや地下街等消防法に定める防火対象物に配設される誘導灯、特に天井付近に配設される避難誘導灯に、その誘導機能を損なうことなく時刻表示機能を付加する技術に関する。
【背景技術】
【０００２】
消防法によって定められる防火対象物には、消防法施行規則によって定められた誘導標識が描かれた誘導灯の設置が義務付けられている。したがって、不特定多数の人が集まる劇場、百貨店、地下街などには、避難口である旨を示す避難口誘導灯のほかに避難の方向を示す通路誘導灯が要所要所に多数設置されている。
これらの誘導灯は、いずれも万一の火災や地震などの災害時に避難口及び避難方向を示して人命保護に役立てようとするものであり、避難上有効なものとなるよう設けられなければならないとされているため、これまでは避難誘導のためという単独機能のみで使用されてきている。
【非特許文献１】誘導灯及び誘導標識の基準（消防庁告示第２号・改正消防庁告示第３９号）
【発明の開示】
【発明が解決しようとする課題】
【０００３】
本発明は、上記の誘導灯が、常時は多くの人に意識されず、その所在が見過ごされがちになっている現状に鑑みて、この誘導灯、中でも天井付近に配設される避難方向を示す誘導灯に、その誘導機能を損なうことなく時刻表示機能を付加することによって、常に人々に避難口の位置を認識させられるようにしようとするものである。
【課題を解決するための手段】
【０００４】
本発明者は、上記課題を下記の手段により解決した。
（１）非常口の所在を示すためにビルや地下街等消防法に定められた防火対象物に設置される誘導灯であって、その誘導標識表示面の外周縁部に配設された複数の発光体と、該発光体の発光を制御する時計装置を備え、前記複数の発光体の配列を時計盤に見立て、その一つ又は複数個を時計装置により順次点灯して時刻表示を可能としてなることを特徴とする避難誘導灯。
【０００５】
（２）前記発光体が、少なくとも時計盤の正時を示す位置に配設されてなることを特徴とする前項（１）に記載の避難誘導灯。
（３）前記発光体が、時計盤の正時を示す位置に配設された時間表示用発光体と、分を示す位置とに配設された分表示用発光体とでなり、かつ前記時間表示用発光体と分表示用発光体とが異なる色の光を発するものであることを特徴とする前項（１）に記載の避難誘導灯。
（４）前記時間表示用発光体と分表示用発光体が、それぞれ１時間、又は１分経過するごとに点灯数を一つずつ増加させていき、時間表示用発光体にあっては１２時間後、分表示用発光体にあっては６０分後、点灯したすべての発光体を一斉に消灯するよう制御されてなることを特徴とする前項（３）に記載の避難誘導灯。
【０００６】
（５）前記発光体が、その点灯によって避難誘導灯の表示を損なわず、かつ時刻表示が認識できる大きさ、色彩、輝度で発光するよう制御されてなることを特徴とする前項（１）〜（４）のいずれか１項に記載の避難誘導灯。
【０００７】
（６）前記時計装置が、時報音発生機能を備え、毎正時に時報音を奏鳴してなることを特徴とする前項（１）〜（５）のいずれか１項に記載の避難誘導灯。
【発明の効果】
【０００８】
本発明の避難誘導灯によって、下記の効果が発揮される。
〈１〉消防法に定められた防火対象物の天井付近に設置される避難誘導灯、の誘導標識表示面の外周縁部に配設された複数の発光体と、該発光体の発光を制御する時計装置を備え、前記複数の発光体の配列を時計盤に見立て、その一つ又は複数個を時計装置により順次点灯して時刻表示を可能としてなるので、日頃見過ごしがちな避難誘導灯に人々の目を向けさせ、避難口の所在位置をその都度確認させることができる。
【０００９】
〈２〉前記発光体が、時計盤の正時を示す位置に配設された時間表示用発光体と、分を示す位置とに配設された分表示用発光体とでなり、かつ前記時間表示用発光体と分表示用発光体とが異なる色の光を発するものであるので、前記避難誘導灯によって現在時刻が判断でき、避難誘導灯への注目度が向上し、避難口の所在位置確認の効果が高まる。
中でも天井付近に配設される避難方向を示す誘導灯は、要所要所に多数配設されており、その効果は大きい。
【００１０】
〈３〉前記時間表示用発光体と分表示用発光体が、それぞれ１時間、又は１分経過するごとに点灯数を一つずつ増加させていき、時間表示用発光体にあっては１２時間後、分表示用発光体にあっては６０分後、点灯したすべての発光体を一斉に消灯するよう制御されてなるので、時間の表示がより明確になり、人々の避難誘導灯への注視機会が増え、避難口の所在位置確認の効果が一層高まる。
【００１１】
〈４〉前記発光体が、その点灯によって避難誘導灯の表示を損なわず、かつ時刻表示が認識できる大きさ、色彩、輝度で発光するよう制御されているので、避難誘導灯の避難誘導機能と時刻表示機能との両立が図れる。
【００１２】
〈５〉前記時計装置が、時報音発生機能を備えてなり、毎正時に時報音を奏鳴するので、音によっても人々の注意を避難誘導灯に向けさせ、避難口の所在場所を認識させるのに役立つ。
【００１３】
本発明の避難誘導灯を実施するための最良の方法を実施例の図に基づいて説明する。
図１は誘導標識表示面の外周縁部に時間表示用発光体を配設した避難方向を示す避難誘導灯の正面図、図２誘導標識表示面の外周縁部に時間表示用発光体と分表示用発光体を配設した避難方向を示す避難誘導灯の正面図、図３は図２に示す避難誘導灯の時刻表示形態の説明図、図４は誘導標識表示面の外周縁部に時間経過とともに点灯部分が連続して延伸する発光体を配設した避難誘導灯の正面図、図５は誘導標識表示面の外周縁部に時間表示用発光体と所定の分間隔（図では３０分間隔）ごとに点灯する分表示用発光体を配設した避難口誘導灯の正面図、図６は誘導標識表示面の下方縁部に時間表示用発光体と所定の分間隔（図では３０分間隔）ごとに点灯する分表示用発光体を配設した避難口誘導灯の正面図、図７は誘導標識表示面の上下縁部に時間経過とともに点灯部分が連続して延伸する発光体を配設した避難口誘導灯の正面図
である。
図において１は避難方向を示す避難誘導灯、１’は非常口に掲げられる避難口誘導灯、２は誘導標識表示面、３は時間表示用発光体、３’は点灯している時間表示用発光体、４は分表示用発光体。４’は点灯している分表示用発光体である。
【実施例１】
【００１４】
本発明の避難誘導灯の第１の実施例は、図１に示すように、避難方向を示す避難誘導灯１の誘導標識表示面２の外周縁部に、時間表示用発光体３を時計盤の正時を示す位置に配設したものである。
図１においては時計盤の３時の位置に配設された時間表示用発光体３が点灯しているので、現在は３時台であることを表示していることになる。詳細な時刻は読みとれないが外光の入らないビルや地下街にあっては大まかな時間が分かることも、買い物に夢中になって時を忘れたときなどには有用に作用する。
なお、１時間経過するごとに点灯する時間表示用発光体を１つずつ増加させるよう制御されるものであってもよい。
また、時間表示を明確にするため１２、３、６、９の数字をその時間表示位置に付加しておくことも好ましい。
【実施例２】
【００１５】
本発明の避難誘導灯の第２の実施例は、図２に示すように、避難方向を示す避難誘導灯１の誘導標識表示面２の外周縁部に、時間表示用発光体３と分表示用発光体４とをそれぞれ時計盤の正時及び分を示す位置に２列に配設したものである。
時間表示用発光体３と、分表示用発光体４はその大きさと発光色とを異にするのが好ましく、また５分、１０分等５の倍数を示す位置の分表示発光体４を他の分表示発光体４の発光体色と異にしておくことも好ましい。
これらの発光体の点滅は、図示しない時計装置によって行われるが、時刻表示をより明確にするために、図３に示すように、時の経過につれて点灯する発光体を増やしていくのが好ましい。特に分表示用発光体４にあっては、１灯のみの点灯ではその位置を一目で確認することは難しく、したがって、分表示発光体４は、毎正時から１分経過するごとに点灯数を一つずつ増加させていき、次の正時にそのすべて一斉に消灯するよう制御されるのがよい。
なお、時間表示用発光体３にあってはその大きさ発光色によっては、１灯のみの点灯でもその位置確認は容易となることから、避難誘導灯１の誘導機能への影響を避けるために１灯のみ点灯するように制御されてもよい。
ちなみに図３に示す避難誘導灯では、時間表示用発光体３が０時を示すものを含めて３つ、分表示用発光体４が０分を表示するものを含めて２１点灯しており、２時２０分であることを示している。
【実施例３】
【００１６】
本発明の避難誘導灯の第３の実施例は、図４に示すように、避難方向を示す避難誘導灯１の誘導標識表示面２の外周縁部に時間経過とともに点灯部分が連続して延伸する発光体５と毎正時の位置を示す複数の標識６を配設し、前記発光体５の点灯した部分５’の先端位置と前記複数の標識６の位置との関係に基づいて時刻を知りうるようにしたものである。
点灯した部分５’が連続した線状に表示されるので視認されやすく、大まかな時刻を知るには有効で、人々の避難誘導灯１への注視度を高めることができ、避難口の所在を確認させるのに役立つ。
【実施例４】
【００１７】
本発明の避難誘導灯の第４の実施例は、図５に示すように、非常口の所在を表示する避難口誘導灯１’に時刻表示機能を付加したものである。
この避難口誘導灯１’は非常口に掲げられることから、避難誘導機能がより重要性を持ち、また実施例１、２に示した避難方向を示す誘導灯１より配設個数が少ないこともあって、時刻表示機能は必要最小限に留めることが望ましい。したがって、図５に示した実施例では時間表示用発光体３と３０分を示す分表示用発光体４が、避難誘導灯１’の外周縁部に配置されている。
この場合も時間表示用発光体３と、分表示用発光体４はその大きさと発光色とを異にするのが好ましく、これらの発光体３、４は、正時から３０分に満たない間は、その時間帯を示す時間表示用発光体１灯のみを点灯し、３０分経過した後は前記点灯した時間表示用発光体３に続く分表示用発光体４を１灯追加点灯し、６０分経過後は次の時間帯を示す時間表示用発光体を点灯して、これまで点灯していた時間表示用発光体と分表示発光体を消灯するように制御されるてなることが望ましい。
【実施例５】
【００１８】
本発明の避難誘導灯の第５の実施例は、前記避難口誘導灯１’が、一般に横長の長方形で作られているのに鑑みて、図６に示すように、時刻表示機能を前記避難口誘導灯１’の下方縁部に配設した発光体列によって付加したものである。
実施例４において言及したように、避難口誘導灯１’においては、その誘導機能を損なわないために時刻表示を必要最小限に留めることが望まれることから、前記時間表示用発光体３と３０分を示す分表示用発光体４とを前記避難口誘導灯１’の下方周縁部に交互に配設している。
この場合も時間表示用発光体３と、分表示用発光体４はその大きさと発光色とを異にするのが好ましく、これら発光体３、４は正時及び正時から３０分経過時に１灯ずつ順次点灯数を増していき、午前０時と正午にすべて消灯するよう制御されてなることが好ましい。
なお、図６は避難口誘導灯１’の下方縁部に１２時間分表示できる発光体列を配設したものを示したが、前記避難口誘導灯１’の上下縁部にそれぞれ１２時間分表示できる発光体列を配設し、上方縁部の発光体列で午前を、下方縁部の発光体列で午後を表すようにしてもよい。
【実施例６】
【００１９】
本発明の避難誘導灯の第６の実施例は、図７に示すように、非常口の所在を表示する避難口誘導灯１’の誘導標識表示面２の上下縁部に時間経過とともに点灯部分が連続して延伸する発光体５と毎正時の位置を示す複数の標識６を配設し、上方縁部に配設した前記発光体５の点灯した部分５’の先端位置と前記複数の標識６の位置との関係に基づいて午前の時刻を、また下方縁部に配設した前記発光体５の点灯した部分５’の先端位置と前記複数の標識６の位置との関係に基づいて午後の時刻を知りうるようにしたものである。
点灯した部分５’が連続した線状に表示されるので視認されやすく、また誘導標識面２に悪影響を与えるおそれも少ない。
なお、時間経過とともに点灯部分が連続して延伸する発光体５を前記避難口誘導灯１’の上方縁部、又は下方縁部のいずれか一方にのみに配設し、１２時間表示とすることであってもよい。
【００２０】
本発明の誘導灯１、１’に使用される発光体３、４としては、誘導灯１、１’の誘導機能を損なわず、かつ時刻表示が認識できる大きさ、色彩、輝度で発光するものであればよいが、中でも発光ダイオードは小形で発光効率がよく本発明の誘導灯１、１’への使用に適している。
なお、誘導灯１、１’が商用電源の停電によって該誘導灯１、１’に内蔵された蓄電池の放電によって点灯する場合には、前記発光体３、４、５は消灯して前記誘導灯１、１’の点灯時間を長引かせるようにしておくことが好ましい。ただし、非常用自家発電装置を備えたビルや地下街等で、その非常用自家発電装置から誘導灯１、１’に給電される場合などは、商用電源停電時に前記発光体３、４、５が点灯した状態にあることも許容される。
【００２１】
また、各避難誘導灯に配設され、前記発光体４、５、６の発光を制御する時計装置が、ビルや地下街に設置され、電力、ガス、水道、空調等の制御を行う中央制御室の制御コンピュータから伝送されるカウンタによって一斉に駆動され、同一ビル、同一地下街の避難誘導灯１、１’ですべて同一時刻が表示されるようにしておくことが好ましい
【００２２】
さらに、本発明の避難誘導灯１、１’の時計装置に時報音発生機能を付加して毎正時に時報音を奏鳴させることも、音によって人々の注意を避難誘導灯１、１’に向けさせ、避難口の所在場所を認識させるのに役立つので好ましい。
【図面の簡単な説明】
【００２３】
【図１】誘導標識表示面の外周縁部に時間表示用発光体を配設した避難方向を示す避難誘導灯の正面図
【図２】誘導標識表示面の外周縁部に時間表示用発光体と分表示用発光体を配設した避難方向を示す避難誘導灯の正面図
【図３】図２に示す避難誘導灯の時刻表示形態の説明図
【図４】誘導標識表示面の外周縁部に時間経過とともに点灯部分が連続して延伸する発光体を配設した避難方向を示す避難誘導灯の正面図
【図５】誘導標識表示面の外周縁部に時間表示用発光体と所定の分間隔（図では３０分間隔）ごとに点灯する分表示用発光体を配設した避難口誘導灯の正面図
【図６】誘導標識表示面の下方縁部に時間表示用発光体と所定の分間隔（図では３０分間隔）ごとに点灯する分表示用発光体を配設した避難口誘導灯の正面図
【図７】誘導標識表示面の上下縁部に時間経過とともに点灯部分が連続して延伸する発光体を配設した避難口誘導灯の正面図
【符号の説明】
【００２４】
１  ：避難方向を示す避難誘導灯
１’：非常口に掲げられる避難口誘導灯
２  ：誘導標識表示面
３  ：時間表示用発光体
３’：点灯している時間表示用発光体
４  ：分表示用発光体
４’：点灯している分表示用発光体
５  ：時間経過とともに点灯部分が連続して延伸する発光体
５’：連続して点灯した部分
６  ：正時の位置を示す標識
【図１】
2009300359.tif 000003
【図２】
2009300359.tif 000004
【図３】
2009300359.tif 000005
【図４】
2009300359.tif 000006
【図５】
2009300359.tif 000007
【図６】
2009300359.tif 000008
【図７】
2009300359.tif 000009